(57)【特許請求の範囲】
【請求項１】
排ガス中に還元剤を注入するための複数の注入部と、前記注入部の下流側に配置された脱硝反応器とを備え、前記排ガス中の窒素酸化物と前記還元剤との反応によって前記窒素酸化物を分解するように構成された脱硝装置における各注入部の注入分担率を調整する方法であって、
前記還元剤の注入総量に対する、前記複数の注入部の各々からの前記還元剤の注入量の割合と相関のある各注入部の分担率パラメータと、排ガス流れ方向に直交する前記脱硝反応器の断面を分割して得られる複数の区画の各々における前記脱硝反応器の入口側の前記還元剤の濃度との相関を示す還元剤流動モデルを取得するステップと、
前記区画の各々について、前記脱硝反応器の入口側の前記還元剤の濃度と、前記脱硝反応器の出口側の前記還元剤の濃度との相関を示す脱硝反応モデルを取得するステップと、
前記還元剤流動モデル及び前記脱硝反応モデルを用いて、前記分担率パラメータの候補値から、各々の区画における出口側の前記還元剤の濃度を推定するステップと、
前記還元剤の濃度の推定値に基づいて、前記分担率パラメータの推奨値を算出するステップと、
を備えることを特徴とする還元剤注入量分担制御方法。
【請求項２】
前記分担率パラメータの推奨値を算出するステップでは、前記脱硝反応器の出口側の前記還元剤の濃度の推定値の前記複数の区画における分布と、前記脱硝反応器の出口側の前記還元剤の目標濃度分布との乖離を示す指標に基づいて、前記還元剤流動モデル及び前記脱硝反応モデルを用いて、前記分担率パラメータの前記候補値から前記推奨値への補正量を求めることを特徴とする請求項１に記載の還元剤注入量分担制御方法。
【請求項３】
前記乖離を示す前記指標は、前記脱硝反応器の出口側の前記還元剤の濃度管理範囲からの前記推定値の逸脱量であることを特徴とする請求項２に記載の還元剤注入量分担制御方法。
【請求項４】
各々の区画における前記脱硝反応器の出口側の前記還元剤の濃度を測定するステップと、
各々の区画における出口側の前記還元剤の濃度の推定値と測定値との偏差に基づいて、前記脱硝反応モデルを補正するステップと、
をさらに備えることを特徴とする請求項１乃至３の何れか一項に記載の還元剤注入量分担制御方法。
【請求項５】
前記分担率パラメータは、前記還元剤の注入総量に対する各注入部の注入量の割合を示す分担率であることを特徴とする請求項１乃至４の何れか一項に記載の還元剤注入量分担制御方法。
【請求項６】
前記分担率パラメータとしての各注入部の前記分担率の推奨値から、前記注入部からの前記還元剤の注入量を調整するためのバルブの開度の推奨値を算出するステップをさらに備えることを特徴とする請求項５に記載の還元剤注入量分担制御方法。
【請求項７】
前記分担率パラメータが、前記注入部からの前記還元剤の注入量を調整するためのバルブの開度であることを特徴とする請求項１乃至４の何れか一項に記載の還元剤注入量分担制御方法。
【請求項８】
排ガス中に還元剤を注入するための複数の注入部と、前記注入部の下流側に配置された脱硝反応器とを備え、前記排ガス中の窒素酸化物と前記還元剤との反応によって前記窒素酸化物を分解するように構成された脱硝装置の運転方法であって、
請求項１乃至７の何れか一項に記載の還元剤注入量分担制御方法によって得られる前記分担率パラメータの前記推奨値に基づいて、各注入部の注入分担率を調整するステップ
を備えることを特徴とする脱硝装置の運転方法。
【請求項９】
排ガス中に還元剤を注入するための複数の注入部と、
前記注入部の下流側に配置され、前記排ガス中の窒素酸化物と前記還元剤との反応によって前記窒素酸化物を分解するように構成された脱硝反応器と、
前記注入部の各々について、前記還元剤の注入総量に対する該注入部の注入量の割合と相関がある分担率パラメータの推奨値を算出するための分担率調整部と、を備え、
前記分担率調整部は、
各注入部の前記分担率パラメータと、排ガス流れ方向に直交する前記脱硝反応器の断面を分割して得られる複数の区画の各々における前記脱硝反応器の入口側の前記還元剤の濃度との相関を示す還元剤流動モデルを取得し、
前記区画の各々について、前記脱硝反応器の入口側の前記還元剤の濃度と、前記脱硝反応器の出口側の前記還元剤の濃度との相関を示す脱硝反応モデルを取得し、
前記還元剤流動モデルおよび前記脱硝反応モデルを用いて、前記分担率パラメータの候補値から、各々の区画における出口側の前記還元剤の濃度を推定し、
前記還元剤の濃度の推定値に基づいて、前記分担率パラメータの推奨値を算出する
ように構成されたことを特徴とする脱硝システム。
【請求項１０】
前記分担率調整部は、前記脱硝反応器の出口側の前記還元剤の濃度の推定値の前記複数の区画における分布と、前記脱硝反応器の出口側の前記還元剤の目標濃度分布との乖離を示す指標に基づいて、前記還元剤流動モデル及び前記脱硝反応モデルを用いて、前記分担率パラメータの前記候補値から前記推奨値への補正量を求めるように構成されたことを特徴とする請求項９に記載の脱硝システム。
【請求項１１】
前記乖離を示す前記指標は、前記脱硝反応器の出口側の前記還元剤の濃度管理範囲からの前記推定値の逸脱量であることを特徴とする請求項１０に記載の脱硝システム。
【請求項１２】
各々の区画における前記脱硝反応器の出口側の前記還元剤の濃度の測定値と前記推定値との偏差に基づいて前記脱硝反応モデルを補正するモデル補正部をさらに備えることを特徴とする請求項９乃至１１の何れか一項に記載の脱硝システム。
【請求項１３】
前記分担率パラメータは、前記還元剤の注入総量に対する各注入部の注入量の割合を示す分担率であることを特徴とする請求項９乃至１２の何れか一項に記載の脱硝システム。
【請求項１４】
前記分担率調整部は、前記分担率パラメータとしての各注入部の前記分担率パラメータの推奨値から、前記注入部からの前記還元剤の注入量を調整するためのバルブの開度の推奨値を算出するように構成されたことを特徴とする請求項９乃至１３の何れか一項に記載の脱硝システム。
【請求項１５】
前記分担率パラメータが、前記注入部からの前記還元剤の注入量を調整するためのバルブの開度であることを特徴とする請求項９乃至１２の何れか一項に記載の脱硝システム。
【発明の詳細な説明】
【技術分野】
【０００１】
本開示は、排ガスの脱硝技術に関し、複数の注入部（例えばノズル）から排ガス中に還元剤を分散注入する際、各注入部における還元剤の注入量分担を制御するための還元剤注入量分担制御方法および脱硝方法、並びに脱硝システムに関する。
【背景技術】
【０００２】
従来、排ガス中の窒素酸化物（ＮＯｘ）を還元剤によって除去する脱硝技術が知られている。典型的な脱硝装置は、排ガスの煙道に設置された複数のノズルから還元剤（例えばＮＨ３）を排ガス中に吹き込み、その後流側に設けられた反応器において例えば触媒の存在下で窒素酸化物の還元反応を促進させ、排ガス中の窒素酸化物を水と窒素に分解するようになっている。
【０００３】
こうした脱硝装置においては、煙道における還元剤の注入量分布が脱硝効率を決定する要因の一つとなる。すなわち、脱硝装置では、未反応の還元剤が後流側へリークすることを抑制するために、通常、排ガス中の窒素酸化物に対して適正なモル比の還元剤が供給される。この決まった量の還元剤が排ガス中の窒素酸化物と適切に反応し、還元剤のリーク量が抑制されるように、複数のノズルにおける還元剤の注入量分担を制御することが求められる。
【０００４】
例えば、特許文献１及び２には、排ガスダクト内に設けられたアンモニア注入装置および脱硝反応器を備えた脱硝装置が開示されている。
より具体的には、特許文献１におけるアンモニア注入装置は、排ガスダクト内を複数に分割して形成される各区画の脱硝反応器出口でのＮＯｘ濃度が均一化されるように、各区画におけるアンモニア注入量を独立して調整するようになっている。
また、特許文献２では、排ガス流れに直交する面内において脱硝反応器（脱硝触媒）を複数に区画し、各区画に対応した領域における排ガス中のＮＨ３又はＮＯｘの濃度を測定することが記載されている。一例として、アンモニア濃度を測定する場合、リークアンモニア濃度が所定値以上の区画に対して、流量制御元弁により還元剤供給量を調節することも記載されている。さらにこの場合、予め定めたアンモニア濃度と流量制御元弁毎の開度との相関関係を示す制御マップを用いて、還元剤供給量を調節することも記載されている。
【先行技術文献】
【特許文献】
【０００５】
【特許文献１】特開平１０−２１６４７５号公報
【特許文献２】特開２０１４−９４３５５号公報
【発明の概要】
【発明が解決しようとする課題】
【０００６】
ところで、上述した脱硝装置においては、脱硝効率の経年変化等により、未反応還元剤のリーク量が部分的に増大することがある。例えば、脱硝反応器として脱硝触媒を用いる場合、脱硝触媒の各部位の劣化速度に差があると、脱硝反応器における脱硝効率にばらつきが生じて未反応還元剤のリーク量が局所的に増大してしまう。
こういった事情の他に、排ガスの流れに起因して未反応還元剤のリーク量が増大することもある。一般的に、排ガスダクト内に設けられる還元剤注入ノズルから脱硝反応器までの間には距離があり、また排ガスダクトが屈曲している場合もある。そのため、ノズルから脱硝反応器までの排ガスの流れによって、還元剤注入時の還元剤濃度分布は脱硝反応器に到達した時点で変化している。したがって、排ガスダクトに均一に還元剤を注入しても、脱硝反応器に流入する還元剤濃度が均一であるとは限らず、未反応還元剤のリーク量が局所的に増大してしまうことがあり得る。
未反応還元剤のリーク量が局所的に増大すると、脱硝装置後流側に位置する機器（例えばボイラにおいては空気予熱器）に酸性硫安が付着し、機器の劣化又は機能不全（例えば空気予熱器の閉塞）を招くおそれがある。
【０００７】
この点、特許文献１では、排ガスダクトの各区画におけるアンモニア注入量を調整することは記載されているが、脱硝反応器の出口側におけるリークアンモニアの局所的な濃度上昇を抑制するための具体的手法は記載されていない。
一方、特許文献２では、アンモニア濃度に応じた具体的なアンモニア注入量調整方法として、アンモニア濃度と流量制御元弁毎の開度との相関関係を示す制御マップを用いることが記載されている。しかしながら、この方法では、流量制御元弁の開度の設定変更による影響が脱硝反応器出口のアンモニア濃度分布の変化として現れるまでのタイムラグがあり、脱硝反応器出口のアンモニア濃度分布を管理範囲内に確実に収めるのが難しいという問題がある。
【０００８】
本発明の少なくとも幾つかの実施形態の目的は、脱硝反応器出口での未反応還元剤の局所的な濃度上昇を抑制するために、各注入部における還元剤の適切な注入量分担を取得し得る還元剤注入量分担制御方法および脱硝方法、並びに脱硝システムを提供することである。
【課題を解決するための手段】
【０００９】
（１）本発明の少なくとも幾つかの実施形態に係る還元剤注入量分担制御方法は、
排ガス中に還元剤を注入するための複数の注入部と、前記注入部の下流側に配置された脱硝反応器とを備え、前記排ガス中の窒素酸化物と前記還元剤との反応によって前記窒素酸化物を分解するように構成された脱硝装置における各注入部の注入分担率を調整する方法であって、
前記還元剤の注入総量に対する、前記複数の注入部の各々からの前記還元剤の注入量の割合と相関のある各注入部の分担率パラメータと、排ガス流れ方向に直交する前記脱硝反応器の断面を分割して得られる複数の区画の各々における前記脱硝反応器の入口側の前記還元剤の濃度との相関を示す還元剤流動モデルを取得するステップと、
前記区画の各々について、前記脱硝反応器の入口側の前記還元剤の濃度と、前記脱硝反応器の出口側の前記還元剤の濃度との相関を示す脱硝反応モデルを取得するステップと、
前記還元剤流動モデル及び前記脱硝反応モデルを用いて、前記分担率パラメータの候補値から、各々の区画における出口側の前記還元剤の濃度を推定するステップと、
前記還元剤の濃度の推定値に基づいて、前記分担率パラメータの推奨値を算出するステップと、
を備える。
【００１０】
上記（１）の方法では、還元剤流動モデルと脱硝反応モデルの２つのモデルを用いて、分担率パラメータの候補値から、各々の区画における出口側の還元剤の濃度を推定するようになっている。ここで、還元剤流動モデルとは、各注入部の分担率パラメータと複数の区画の各々における脱硝反応器の入口側の還元剤の濃度との相関を示すモデルである。一方、脱硝反応モデルとは、脱硝反応器の区画の各々について、脱硝反応器の入口側の還元剤の濃度と出口側の還元剤の濃度との相関を示すモデルである。
この方法によれば、注入部から脱硝反応器入口までの間の排ガス中における還元剤の拡散状態と、脱硝反応器における脱硝率と、を考慮した上で、分担率パラメータの候補値ごとに、各々の区画における出口側の還元剤の濃度を推定することができる。
また、還元剤の濃度の推定値に基づいて、分担率パラメータの推奨値を算出するようになっている。これにより、脱硝反応器の出口側での未反応還元剤の局所的な濃度上昇を回避し得る適切な分担率パラメータの推奨値を取得することができる。
【００１１】
こうして得られた適切な分担率パラメータを用いて注入部の注入量分担を制御すれば、脱硝反応器の出口側の窒素酸化物濃度又は未反応還元剤濃度に基づいて注入量制御を行うような単純なフィードバック制御に比べて、タイムラグが生じることなく、未反応還元剤の局所的な増大をより効果的に抑制できる。
さらに、脱硝装置の下流側に設けられた設備での酸性硫安発生に伴う障害を回避することができ、脱硝装置を具備するプラントの連続操業に寄与することができる。
なお、本明細書において、「分担率パラメータ」とは、複数の注入部から排ガス中に供給される還元剤の注入総量に対する、対象ノズルからの還元剤の注入量の割合（分担率）を示すパラメータである。例えば、分担率パラメータは、注入部の分担率そのものであってもよいし、注入部における還元剤注入量を調節するためのバルブの開度等のように、分担率と相関のある他のパラメータであってもよい。
【００１２】
（２）幾つかの実施形態では、上記（１）の方法において、
前記分担率パラメータの推奨値を算出するステップでは、前記脱硝反応器の出口側の前記還元剤の濃度の推定値の前記複数の区画における分布と、前記脱硝反応器の出口側の前記還元剤の目標濃度分布との乖離を示す指標に基づいて、前記還元剤流動モデル及び前記脱硝反応モデルを用いて、前記分担率パラメータの前記候補値から前記推奨値への補正量を求める。
【００１３】
上記（２）の方法によれば、分担率パラメータの推奨値を算出するステップにおいても、還元剤流動モデル及び脱硝反応モデルを用いており、脱硝反応器の出口側の還元剤の濃度推定値の分布と目標濃度分布との乖離を示す指標に基づいて、分担率パラメータの候補値から推奨値への補正量を求めるようになっている。これにより、脱硝反応器の出口側の還元剤濃度を目標濃度分布により一層近づけることができる。
【００１４】
（３）一実施形態では、上記（２）の方法において、
前記乖離を示す前記指標は、前記脱硝反応器の出口側の前記還元剤の濃度管理範囲からの前記推定値の逸脱量である。
【００１５】
上記（３）の方法によれば、還元剤の濃度分布が還元剤の濃度管理範囲から逸脱しないような推奨値を得ることができ、還元剤の注入量分担をより一層適切に制御することができる。
【００１６】
（４）幾つかの実施形態では、上記（１）乃至（３）の何れかの方法において、
各々の区画における前記脱硝反応器の出口側の前記還元剤の濃度を測定するステップと、
各々の区画における出口側の前記還元剤の濃度の推定値と測定値との偏差に基づいて、前記脱硝反応モデルを補正するステップと、
をさらに備える。
【００１７】
上記（４）の方法では、各々の区画における出口側の還元剤の濃度の推定値と測定値との偏差に基づいて、脱硝反応モデルを補正するようになっている。これにより、脱硝効率の低下が還元剤濃度の推定に及ぼす影響を最小限に抑え、精度の高い分担率パラメータの推奨値を算出することができる。
【００１８】
（５）幾つかの実施形態では、上記（１）乃至（４）の何れかの方法において、
前記分担率パラメータは、前記還元剤の注入総量に対する各注入部の注入量の割合を示す分担率である。
【００１９】
上記（５）の方法によれば、分担率パラメータとして、還元剤の注入総量に対する各注入部の注入量の割合を示す分担率自体を用いることにより、分担率パラメータの推奨値の算出に際して演算負荷を軽減することができる。
【００２０】
（６）一実施形態では、上記（５）の方法において、
前記分担率パラメータとしての各注入部の前記分担率の推奨値から、前記注入部からの前記還元剤の注入量を調整するためのバルブの開度の推奨値を算出するステップをさらに備える。
【００２１】
（７）幾つかの実施形態では、上記（１）乃至（４）の何れか一項に記載の方法において、
前記分担率パラメータが、前記注入部からの前記還元剤の注入量を調整するためのバルブの開度である。
【００２２】
上記（６）又は（７）の構成によれば、注入部の分担率パラメータとして、還元剤の注入量の調整に直接的に関わるバルブの開度を用いるようにしているので、分担率の推奨値から還元剤の注入量制御までの手順を簡素化できる。
【００２３】
（８）本発明の少なくとも幾つかの実施形態に係る脱硝装置の運転方法は、
排ガス中に還元剤を注入するための複数の注入部と、前記注入部の下流側に配置された脱硝反応器とを備え、前記排ガス中の窒素酸化物と前記還元剤との反応によって前記窒素酸化物を分解するように構成された脱硝装置の運転方法であって、
上記（１）乃至（７）の何れかに記載の還元剤注入量分担制御方法によって得られる前記分担率パラメータの前記推奨値に基づいて、各注入部の注入分担率を調整するステップ
を備える。
【００２４】
上記（８）の方法によれば、上述の還元剤注入量分担制御方法によって取得された適切な分担率パラメータの推奨値に基づいて、各注入部の注入量分担を調整するようにしたので、未反応還元剤の局所的な増大をより効果的に抑制できる。
よって、脱硝装置の下流側に設けられた設備での酸性硫安発生に伴う障害を回避することができ、脱硝装置を具備するプラントの連続操業に寄与することができる。
【００２５】
（９）本発明の少なくとも幾つかの実施形態に係る脱硝システムは、
排ガス中に還元剤を注入するための複数の注入部と、
前記注入部の下流側に配置され、前記排ガス中の窒素酸化物と前記還元剤との反応によって前記窒素酸化物を分解するように構成された脱硝反応器と、
前記注入部の各々について、前記還元剤の注入総量に対する該注入部の注入量の割合と相関がある分担率パラメータの推奨値を算出するための分担率調整部と、を備え、
前記分担率調整部は、
各注入部の前記分担率パラメータと、排ガス流れ方向に直交する前記脱硝反応器の断面を分割して得られる複数の区画の各々における前記脱硝反応器の入口側の前記還元剤の濃度との相関を示す還元剤流動モデルを取得し、
前記区画の各々について、前記脱硝反応器の入口側の前記還元剤の濃度と、前記脱硝反応器の出口側の前記還元剤の濃度との相関を示す脱硝反応モデルを取得し、
前記還元剤流動モデルおよび前記脱硝反応モデルを用いて、前記分担率パラメータの候補値から、各々の区画における出口側の前記還元剤の濃度を推定し、
前記還元剤の濃度の推定値に基づいて、前記分担率パラメータの推奨値を算出する
ように構成される。
【００２６】
上記（９）の構成によれば、還元剤流動モデルと脱硝反応モデルの２つのモデルを用いて、分担率パラメータの候補値から、各々の区画における出口側の還元剤の濃度を推定するようになっている。
この構成によれば、注入部から脱硝反応器入口までの間の排ガス中における還元剤の拡散状態と、脱硝反応器における脱硝率と、を考慮した上で、分担率パラメータの候補値ごとに、各々の区画における出口側の還元剤の濃度を推定することができる。
また、還元剤の濃度の推定値に基づいて、分担率パラメータの推奨値を算出するようになっている。これにより、脱硝反応器の出口側での未反応還元剤の局所的な濃度上昇を回避し得る適切な分担率パラメータの推奨値を取得することができる。
こうして得られた適切な分担率パラメータを用いて注入部の注入量分担を制御すれば、脱硝反応器の出口側の窒素酸化物濃度又は未反応還元剤濃度に基づいて注入量制御を行うような単純なフィードバック制御に比べて、タイムラグが生じることなく、未反応還元剤の局所的な増大をより効果的に抑制できる。
さらに、脱硝装置の下流側に設けられた設備での酸性硫安発生に伴う障害を回避することができ、脱硝装置を具備するプラントの連続操業に寄与することができる。
【００２７】
（１０）幾つかの実施形態では、上記（９）の構成において、
前記分担率調整部は、前記脱硝反応器の出口側の前記還元剤の濃度の推定値の前記複数の区画における分布と、前記脱硝反応器の出口側の前記還元剤の目標濃度分布との乖離を示す指標に基づいて、前記還元剤流動モデル及び前記脱硝反応モデルを用いて、前記分担率パラメータの前記候補値から前記推奨値への補正量を求めるように構成される。
【００２８】
上記（１０）の構成によれば、分担率パラメータの推奨値を算出する際においても、分担率調整部では還元剤流動モデル及び脱硝反応モデルを用いており、脱硝反応器の出口側の還元剤の濃度推定値の分布と目標濃度分布との乖離を示す指標に基づいて、分担率パラメータの候補値から推奨値への補正量を求めるようになっている。これにより、脱硝反応器の出口側の還元剤濃度を目標濃度分布により一層近づけることができる。
【００２９】
（１１）幾つかの実施形態では、上記（１０）に記載の構成において、
前記乖離を示す前記指標は、前記脱硝反応器の出口側の前記還元剤の濃度管理範囲からの前記推定値の逸脱量である。
【００３０】
上記（１１）の構成によれば、還元剤の濃度分布が還元剤の濃度管理範囲から逸脱しないような推奨値を得ることができ、還元剤の注入量分担をより一層適切に制御することができる。
【００３１】
（１２）幾つかの実施形態では、上記（９）乃至（１１）の何れかの構成において、
各々の区画における前記脱硝反応器の出口側の前記還元剤の濃度の測定値と前記推定値との偏差に基づいて前記脱硝反応モデルを補正するモデル補正部をさらに備える。
【００３２】
上記（１２）の構成によれば、各々の区画における出口側の還元剤の濃度の推定値と測定値との偏差に基づいて、脱硝反応モデルを補正するようになっている。これにより、脱硝効率の低下が還元剤濃度の推定に及ぼす影響を最小限に抑え、精度の高い分担率パラメータの推奨値を算出することができる。
【００３３】
（１３）幾つかの実施形態では、上記（９）乃至（１２）の何れかの構成において、
前記分担率パラメータは、前記還元剤の注入総量に対する各注入部の注入量の割合を示す分担率である。
【００３４】
上記（１３）の構成によれば、分担率パラメータとして、還元剤の注入総量に対する各注入部の注入量の割合を示す分担率自体を用いることにより、分担率パラメータの推奨値の算出に際して演算負荷を軽減することができる。
【００３５】
（１４）幾つかの実施形態では、上記（９）乃至（１３）の何れかの構成において、
前記分担率調整部は、前記分担率パラメータとしての各注入部の前記分担率パラメータの推奨値から、前記注入部からの前記還元剤の注入量を調整するためのバルブの開度の推奨値を算出するように構成される。
【００３６】
（１５）幾つかの実施形態では、上記（９）乃至（１２）の何れかの構成において、
前記分担率パラメータが、前記注入部からの前記還元剤の注入量を調整するためのバルブの開度である。
【００３７】
上記（１４）又は（１５）の構成によれば、注入部の分担率パラメータとして、還元剤の注入量の調整に直接的に関わるバルブの開度を用いるようにしているので、分担率の推奨値から還元剤の注入量制御までの手順を簡素化できる。
【発明の効果】
【００３８】
本発明の少なくとも一実施形態によれば、注入部から脱硝反応器入口までの間の排ガス中における還元剤の拡散状態と、脱硝反応器における脱硝率と、を考慮した上で、分担率パラメータの候補値ごとに、各々の区画における出口側の還元剤の濃度を推定することができる。また、還元剤の濃度の推定値に基づいて、分担率パラメータの推奨値を算出するようになっている。これにより、脱硝反応器の出口側での未反応還元剤の局所的な濃度上昇を回避し得る適切な分担率パラメータの推奨値を取得することができる。
こうして得られた適切な分担率パラメータを用いて注入部の注入量分担を制御すれば、未反応還元剤の局所的な増大をより効果的に抑制できる。
さらに、脱硝装置の下流側に設けられた設備での酸性硫安発生に伴う障害を回避することができ、脱硝装置を具備するプラントの連続操業に寄与することができる。
【図面の簡単な説明】
【００３９】
【図１】一実施形態に係る脱硝システムの構成を概略的に示す図である。
【図２】一実施形態における脱硝反応器の断面を示す模式図（図１のＡ−Ａ線断面）である。
【図３】一実施形態に係る還元剤注入量分担制御方法を示すフローチャートである。
【図４】他の実施形態に係る還元剤注入量分担制御方法を示すフローチャートである。
【発明を実施するための形態】
【００４０】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００４１】
最初に、図１及び図２を参照して、幾つかの実施形態に係る脱硝システム１の全体構成について説明する。なお、図１は、一実施形態に係る脱硝システム１の構成を概略的に示す図である。図２は、一実施形態における脱硝反応器４の断面を示す模式図（図１のＡ−Ａ線断面）である。
【００４２】
図１に例示するように、幾つかの実施形態に係る脱硝システム１は、排ガス中に還元剤を注入するための複数のノズル（注入部）２と、これら複数のノズル２の下流側に配置された脱硝反応器４と、各ノズル２についての分担率パラメータの推奨値を算出するための分担率調整部８と、を備える。
【００４３】
ここで、分担率パラメータとは、複数のノズル２の各々について、還元剤の注入総量に対する該ノズル２の注入量の割合と相関があるパラメータである。言い換えれば、分担率パラメータは、複数のノズル２から排ガス中に供給される還元剤の注入総量に対する、対象ノズル２からの還元剤の注入量の割合（分担率）を示すパラメータである。例えば、分担率パラメータは、ノズル（対象ノズル）２の分担率そのものであってもよいし、ノズル２における還元剤注入量を調節するためのバルブの開度等のように、分担率と相関のある他のパラメータであってもよい。
【００４４】
図１に例示する実施形態では、脱硝システム１は、発電プラントのボイラ１０からの排ガスを脱硝する構成となっている。但し、脱硝システム１で処理対象とする排ガスは、ボイラ１０からの排ガスに限定されるものではない。
この脱硝システム１は、ボイラ１０と空気予熱器１６との間に配設された排ガスダクト１２に設けられている。具体的には、脱硝システム１は、複数のノズル２と、脱硝反応器４と、還元剤濃度検出部６と、ＮＯｘ濃度検出部１８と、が排ガスダクト１２の上流側から順に設けられた構成となっている。
また、この脱硝システム１は、上述したように、各ノズル２についての分担率パラメータの推奨値を算出するための分担率調整部８をさらに備えている。
【００４５】
複数のノズル２は、排ガス中に還元剤を注入するように構成されており、排ガスダクト１２の排ガス流れ方向に直交する断面（例えば排ガスダクト１２の延在方向に対して直交する断面）内に複数設けられている。各々のノズル２は、還元剤の注入量を独立して調整可能な構成であってもよい。また、各々のノズル２には、還元剤の注入量を調整するためのバルブ（図示略）が設けられていてもよい。この場合、バルブは、手動で制御される構成であってもよいし、あるいは自動で制御される構成であってもよい。なお、還元剤としては、例えばアンモニアや尿素等が挙げられる。複数のノズル２から供給される還元剤の総量は、排ガス中のＮＯｘの量（例えば推定値）に応じて決定される。
【００４６】
脱硝反応器４は、主な脱硝反応を行う場であり、例えば脱硝触媒が担持されて選択式触媒脱硝法によって脱硝を行う構成となっている。但し、脱硝反応器４の構成はこれに限定されるものではない。例えば他の実施形態として、脱硝反応器４は、ラジカル反応を利用したラジカル脱硝法を行う構成であってもよいし、選択式触媒脱硝法においてラジカル反応を付加して還元反応を促進させる構成であってもよい。
【００４７】
還元剤濃度検出部６は、還元剤（未反応還元剤）の濃度を検出するように構成される。この還元剤濃度検出部６は、脱硝反応器４の各区画に対応した還元剤濃度を検出する構成であってもよい。
ＮＯｘ濃度検出部１８は、排ガス中の窒素酸化物（以下ＮＯｘと称する）の濃度を検出するように構成される。ＮＯｘ濃度検出部１８は、脱硝反応器４の各区画に対応したＮＯｘ濃度を検出する構成であってもよい。
還元剤濃度検出部６又はＮＯｘ濃度検出部１８は、各濃度を手分析によって検出してもよいし、例えばレーザ式ガス分析計等を用いて自動で検出してもよい。なお、レーザ式ガス分析計とは、排ガス中にレーザ光を照射し、特定波長の吸光量から特定物質の濃度を測定するものである。
なお、還元剤濃度検出部６又はＮＯｘ濃度検出部１８は、選択的に設置されるものであり、脱硝システム１はこれらの検出部が設置されない構成であってもよい。
【００４８】
次に、分担率調整部８について詳細に説明する。
分担率調整部８は、各ノズル２の分担率パラメータと、排ガス流れ方向に直交する脱硝反応器４の断面を分割して得られる複数の区画ｋ（図２の符号４−１，４−２，…，４−ｋ参照）の各々における脱硝反応器４の入口４ａ側の還元剤の濃度との相関を示す還元剤流動モデルを取得し、区画の各々について、脱硝反応器４の入口４ａ側の還元剤の濃度と、脱硝反応器４の出口４ｂ側の還元剤の濃度との相関を示す脱硝反応モデルを取得し、還元剤流動モデルおよび脱硝反応モデルを用いて、分担率パラメータの候補値から、各々の区画における出口４ｂ側の還元剤の濃度を推定し、還元剤の濃度の推定値に基づいて、分担率パラメータの推奨値を算出するように構成される。
【００４９】
ここで、還元剤流動モデルとは、各ノズル２の分担率パラメータと複数の区画の各々における脱硝反応器４の入口４ａ側の還元剤の濃度との相関を示すモデルである。
より具体的には、還元剤流動モデルは、脱硝反応器４を複数の区画に分けた場合の各区画ｋ（図２に示す符号４−ｋ）へ供給される還元剤濃度Ｂ（ｋ）と、複数のノズル２から供給される還元剤の注入量との相関関係をモデル化したものである。
還元剤の総注入量は、予め取得された排ガス中のＮＯｘ量に応じて決定されるため、各ノズル２からの還元剤の注入量分担は、還元剤の総注入量を維持するように設定される。すなわち、全てのノズル２からの還元剤の注入量の総和が還元剤の総注入量と一致する。したがって、各ノズルｊが分担する還元剤の注入量分担率をＡ（ｊ）とすると、ΣＡ（ｊ）＝１．０となる。還元剤流動モデルは、この還元剤の注入量分担率Ａ（ｊ）と、脱硝反応器４の入口４ａ側の還元剤濃度分布Ｂ（ｋ）との相関関係を表す。
なお、排ガス中のＮＯｘ量は、例えばボイラ１０からの排ガスであれば、ボイラ１０での燃料の種類や燃焼状態（燃焼温度を含む）等から推定できる。あるいは、排ガス中のＮＯｘ量は、脱硝システム１の上流側における実際のＮＯｘ検出値であってもよい。
【００５０】
一実施形態において還元剤流動モデルは、各ノズル２における還元剤の注入分担率を個別に増減する試験を行うことで、脱硝反応器４の入口４ａまたは出口４ｂの還元剤量を計測し、その関係を数式モデルで表現したものであってもよい。一例として、図２に示すように、脱硝反応器４の区画ｋが３×３の９区画あり、図示は省略するがノズル２も排ガスダクト１２内に３段３列（９箇所）ある場合には、９行９列の係数行列として表現してもよい。この場合、排ガスが均一流れであれば対角行列になる。
また別の実施形態として、各ノズル２の分担率パラメータと複数の区画の各々における脱硝反応器４の入口４ａ側の還元剤の濃度との相関をより詳細に表現するために、還元剤流動モデルの作成に際して、流動解析計算（ＣＦＤ）を使用してもよい。
【００５１】
一方、脱硝反応モデルとは、脱硝反応器４の区画ｋ（図２の符号４−１，４−２，…，４−ｋ参照）の各々について、脱硝反応器４の入口４ａ側の還元剤の濃度と出口４ｂ側の還元剤の濃度との相関を示すモデルである。
例えば、脱硝反応器４が脱硝触媒を担持した構成である場合、脱硝反応器４の各区画ｋでは、入口４ａに到達した還元剤及びＮＯｘのモル比と、脱硝反応器４内の脱硝触媒の特性により出口４ｂ側の還元剤（未反応還元剤）とＮＯｘ濃度が決定される。
ここで、脱硝触媒の特性は、以下に示す脱硝効率で表すことができる。
脱硝率＝（１−脱硝反応器出口ＮＯｘ濃度／脱硝反応器入口濃度）×１００％
モル比＝脱硝率／１００＋脱硝反応器出口還元剤濃度／脱硝反応器入口ＮＯｘ濃度
これらをもとに、脱硝反応器４の区画ｋの出口４ｂにおける還元剤濃度Ｘ（ｋ）と入口４ａの還元剤量Ｂ（ｋ）の関係が、脱硝反応モデルである。
【００５２】
上記方法では、これら還元剤流動モデルと脱硝反応モデルの２つのモデルを用いて、分担率パラメータの候補値から、各々の区画における出口４ｂ側の還元剤の濃度を推定するようになっている。
具体的には、ノズル２の還元剤注入量をある分布（Ａ（ｊ），ｊ＝１，２，…）にした場合、すなわち各ノズル２の注入分担率を候補値に設定した場合、脱硝反応器４の入口４ａ側における還元剤濃度分布推定値（Ｂ（ｋ），ｋ＝１，２，…）および脱硝反応器４の出口４ｂ側における還元剤濃度分布推定値（Ｘ（ｋ），ｋ＝１，２，…）は、還元剤流動モデルと脱硝反応モデルの２つのモデルを用いて算出できる。
【００５３】
この方法によれば、ノズル２から脱硝反応器４の入口４ａまでの間の排ガス中における還元剤の拡散状態と、脱硝反応器４における脱硝率と、を考慮した上で、分担率パラメータの候補値ごとに、各々の区画ｋにおける出口４ｂ側の還元剤の濃度を推定することができる。
また、還元剤の濃度の推定値に基づいて、分担率パラメータの推奨値を算出するようになっている。これにより、脱硝反応器４の出口４ｂ側での未反応還元剤の局所的な濃度上昇を回避し得る適切な分担率パラメータの推奨値を取得することができる。
【００５４】
こうして得られた適切な分担率パラメータを用いてノズル２の注入量分担を制御すれば、脱硝反応器４の出口４ｂ側の窒素酸化物濃度又は未反応還元剤濃度に基づいて注入量制御を行うような単純なフィードバック制御に比べて、タイムラグが生じることなく、未反応還元剤の局所的な増大をより効果的に抑制できる。
さらに、脱硝システム１の下流側に設けられた設備での酸性硫安発生に伴う障害を回避することができ、脱硝システム１を具備するプラントの連続操業に寄与することができる。
【００５５】
また、脱硝システム１が上記還元剤濃度検出部６を備える場合、分担率調整部８は、脱硝反応器４の出口４ｂ側の還元剤の濃度Ｘ（ｋ）の推定値の複数の区画における分布と、脱硝反応器４の出口４ｂ側の還元剤の目標濃度分布との乖離ｄＸ（ｋ）を示す指標に基づいて、還元剤流動モデル及び脱硝反応モデルを用いて、分担率パラメータの候補値から推奨値への補正量を求めるように構成されてもよい。
【００５６】
上記構成によれば、分担率パラメータの推奨値を算出する際においても、分担率調整部８では還元剤流動モデル及び脱硝反応モデルを用いており、脱硝反応器４の出口４ｂ側の還元剤の濃度推定値の分布と目標濃度分布との乖離を示す指標に基づいて、分担率パラメータの候補値から推奨値への補正量を求めるようになっている。これにより、脱硝反応器４の出口４ｂ側の還元剤濃度を目標濃度分布により一層近づけることができる。
【００５７】
この場合、乖離を示す指標は、脱硝反応器４の出口４ｂ側の還元剤の濃度管理範囲からの推定値の逸脱量であってもよい。
これにより、還元剤の濃度分布が還元剤の濃度管理範囲から逸脱しないような推奨値を得ることができ、還元剤の注入量分担をより一層適切に制御することができる。
【００５８】
より具体的には、脱硝反応器４の出口４ｂ側の還元剤濃度が高いと脱硝システム１の下流側機器（例えば空気予熱器１６）に影響を及ぼす可能性があるため、一般的に、脱硝反応器４の出口４ｂ側の還元剤の濃度管理範囲が設定される。そこで、脱硝反応器４の出口４ｂ側の還元剤濃度が、この濃度管理範囲を超える区画が発生したら、その区画について還元剤濃度を下げる必要がある。これには、上述したように、脱硝反応モデルを逆算することにより、脱硝反応器４の入口４ａ側の還元剤の変化量ｄＢ（ｋ）を算出することができる。さらに、還元剤の変化量ｄＢ（ｋ）に必要な還元剤の注入分担率は、還元剤流動モデルを逆算することで計算することができる。
以上の処理により、新たに注入量分担率の推奨値が取得され、還元剤の注入量を手動調整または注入量制御装置にて推奨値に変化させれば、脱硝反応器４の出口４ｂ側の還元剤濃度を濃度管理範囲以下に抑えることができる。
また、脱硝反応器４の入口４ａ側の還元剤濃度分布の変更量を算出する際、濃度管理範囲を超えた区画を下げるのではなく、出口４ｂ側の還元剤濃度が最大となる区画を下げるようにしてもよい。これにより、調整を繰り返すことで脱硝反応器４の出口４ｂの還元剤濃度分布が均一に近づくような還元剤注入量に調整することが可能となる。
【００５９】
一実施形態では、脱硝システム１は、各々の区画ｋにおける脱硝反応器４の出口４ｂ側の還元剤の濃度の測定値Ｘ０（ｋ）と推定値Ｘ（ｋ）との偏差Ｅ（ｋ）に基づいて脱硝反応モデルを補正するモデル補正部９をさらに備える。例えば、脱硝反応器４が脱硝触媒を担持した構成である場合、モデル補正部９では、該当する区画ｋにおける脱硝触媒の触媒効率ηｋを補正するようにしてもよい。
【００６０】
上記構成によれば、各々の区画における出口４ｂ側の還元剤の濃度の推定値Ｘ（ｋ）と測定値Ｘ０（ｋ）との偏差Ｅ（ｋ）に基づいて、脱硝反応モデルを補正するようになっている。これにより、脱硝効率の低下が還元剤濃度の推定に及ぼす影響を最小限に抑え、精度の高い分担率パラメータの推奨値を算出することができる。
【００６１】
一実施形態では、分担率パラメータは、還元剤の注入総量に対する各ノズル２の注入量の割合を示す分担率である。
【００６２】
上記構成によれば、分担率パラメータとして、還元剤の注入総量に対する各ノズル２の注入量の割合を示す分担率自体を用いることにより、分担率パラメータの推奨値の算出に際して演算負荷を軽減することができる。
【００６３】
一実施形態において、分担率調整部８は、分担率パラメータとしての各ノズル２の分担率パラメータの推奨値から、ノズル２からの還元剤の注入量を調整するためのバルブの開度の推奨値を算出するように構成される。
この場合、分担率パラメータが、ノズル２からの還元剤の注入量を調整するためのバルブの開度であってもよい。
【００６４】
上記構成によれば、ノズル２の分担率パラメータとして、還元剤の注入量の調整に直接的に関わるバルブの開度を用いるようにしているので、分担率の推奨値から還元剤の注入量制御までの手順を簡素化できる。
【００６５】
次に、図３及び図４を参照して、幾つかの実施形態に係る還元剤注入量分担制御方法について説明する。なお、以下の説明では、適宜、上述した図１の符号を用いている。
【００６６】
図３及び図４に例示されるように、幾つかの実施形態に係る還元剤注入量分担制御方法は、還元剤流動モデル取得ステップ（Ｓ１）と、脱硝反応モデル取得ステップ（Ｓ２）と、脱硝反応器出口側濃度算出ステップ（Ｓ３〜Ｓ４）と、推奨値算出ステップ（Ｓ５〜Ｓ１０）と、を備える。
【００６７】
還元剤流動モデル取得ステップ（Ｓ１）は、還元剤の注入総量に対する、複数のノズル２の各々からの還元剤の注入量の割合と相関のある各ノズルの分担率パラメータと、排ガス流れ方向に直交する脱硝反応器４の断面を分割して得られる複数の区画ｋの各々における脱硝反応器４の入口４ａ側の還元剤の濃度との相関を示す還元剤流動モデルを取得する。
脱硝反応モデル取得ステップ（Ｓ２）は、脱硝反応器４の区画の各々について、脱硝反応器４の入口４ａ側の還元剤の濃度と、脱硝反応器４の出口４ｂ側の還元剤の濃度との相関を示す脱硝反応モデルを取得する。
【００６８】
脱硝反応器出口側濃度算出ステップ（Ｓ３〜Ｓ４）は、還元剤流動モデル及び脱硝反応モデルを用いて、分担率パラメータの候補値から、各々の区画における出口側の還元剤の濃度を推定する。
具体的には、脱硝反応器出口側濃度算出ステップ（Ｓ３〜Ｓ４）では、還元剤流動モデルを用いて、ノズル２の還元剤の注入分担率の候補値から脱硝反応器４の区画ｋにおける入口４ａ側の還元剤濃度Ｂ（ｋ）を算出する（Ｓ３）。次いで、脱硝反応モデルを用いて、脱硝反応器４の区画ｋにおける入口４ａ側の還元剤濃度Ｂ（ｋ）から脱硝反応器４の区画ｋの出口４ｂ側の還元剤濃度Ｘ（ｋ）を算出する（Ｓ４）。
【００６９】
推奨値算出ステップ（Ｓ５〜Ｓ１０）は、還元剤の濃度の推定値に基づいて、分担率パラメータの推奨値を算出する。
この分担率パラメータの推奨値を算出するステップでは、脱硝反応器４の出口４ｂ側の還元剤の濃度の推定値の複数の区画における分布と、脱硝反応器４の出口４ｂ側の還元剤の目標濃度分布との乖離を示す指標に基づいて、還元剤流動モデル及び脱硝反応モデルを用いて、分担率パラメータの候補値から推奨値への補正量を求める。
具体的には、脱硝反応器４の区画ｋの出口４ｂ側における目標濃度分布に対する、脱硝反応器４の区画ｋの出口４ｂ側の還元剤濃度Ｘ（ｋ）の乖離ｄＸ（ｋ）を算出する（Ｓ５）。この乖離ｄＸ（ｋ）が濃度管理範囲内か否かを判定し（Ｓ６）、乖離ｄＸ（ｋ）が濃度管理範囲内ではない場合には、乖離ｄＸ（ｋ）に基づいて脱硝反応器４の区画ｋにおける入口４ａ側の還元剤濃度Ｂ（ｋ）の変更量ｄＢ（ｋ）を算出する（Ｓ７）。そして、この変更量ｄＢ（ｋ）に基づいて、ノズル２の分担率パラメータの変更量を算出し（Ｓ８）、分担率パラメータの候補値と分担率パラメータの変更量とから分担率パラメータの推奨値を決定する（Ｓ９）。なお、乖離ｄＸ（ｋ）が濃度管理範囲内である場合には、分担率パラメータの候補値をそのまま推奨値として採用する（Ｓ１０）。
【００７０】
これにより、分担率パラメータの推奨値を算出するステップにおいても、還元剤流動モデル及び脱硝反応モデルを用いており、脱硝反応器４の出口４ｂ側の還元剤の濃度推定値の分布と目標濃度分布との乖離を示す指標に基づいて、分担率パラメータの候補値から推奨値への補正量を求めるようになっている。これにより、脱硝反応器４の出口４ｂ側の還元剤濃度を目標濃度分布により一層近づけることができる。
【００７１】
この場合、乖離を示す前記指標は、脱硝反応器４の出口４ｂ側の還元剤の濃度管理範囲からの推定値の逸脱量であってもよい。
これによれば、還元剤の濃度分布が還元剤の濃度管理範囲から逸脱しないような推奨値を得ることができ、還元剤の注入量分担をより一層適切に制御することができる。
【００７２】
上記方法において、分担率パラメータは、還元剤の注入総量に対する各ノズルの注入量の割合を示す分担率であってもよい。
このように、分担率パラメータとして、還元剤の注入総量に対する各ノズルの注入量の割合を示す分担率自体を用いることにより、分担率パラメータの推奨値の算出に際して演算負荷を軽減することができる。
【００７３】
一実施形態では、分担率パラメータとしての各ノズルの分担率の推奨値から、ノズル２からの還元剤の注入量を調整するためのバルブの開度の推奨値を算出するステップをさらに備える。
この場合、分担率パラメータが、ノズルからの還元剤の注入量を調整するためのバルブの開度であってもよい。
【００７４】
これらの構成によれば、ノズル２の分担率パラメータとして、還元剤の注入量の調整に直接的に関わるバルブの開度を用いるようにしているので、分担率の推奨値から還元剤の注入量制御までの手順を簡素化できる。
【００７５】
図４に示す実施形態においては、還元剤注入量分担制御方法は、各々の区画ｋにおける脱硝反応器４の出口４ｂ側の還元剤の濃度を測定するステップと、各々の区画ｋにおける脱硝反応器４の出口４ｂ側の還元剤の濃度の測定値Ｘ０（ｋ）と推定値Ｘ（ｋ）との偏差Ｅ（ｋ）に基づいて脱硝反応モデルを補正するステップ（Ｓ１１〜Ｓ１３）と、さらに備える。
具体的には、上述したように脱硝反応器４の区画ｋの出口４ｂ側の還元剤濃度Ｘ（ｋ）を算出した（Ｓ４）後、各々の区画ｋにおける脱硝反応器４の出口４ｂ側の還元剤の濃度の測定値Ｘ０（ｋ）と推定値Ｘ（ｋ）との偏差Ｅ（ｋ）を算出する（Ｓ１１）。この偏差Ｅ（ｋ）が許容範囲内か否かを判定し（Ｓ１２）、偏差Ｅ（ｋ）が許容範囲内である場合には、上述したように目標濃度分布に対するＸ（ｋ）の偏差ｄＸ（ｋ）の算出に戻る（Ｓ５）。一方、偏差Ｅ（ｋ）が許容範囲内でない場合には、脱硝反応モデルを補正し（Ｓ１３）、脱硝反応器４の区画ｋの入口４ａ側の還元剤濃度Ｂ（ｋ）の算出に戻る（Ｓ３）。
【００７６】
上記方法では、各々の区画ｋにおける出口４ｂ側の還元剤の濃度の推定値Ｘ（ｋ）と測定値Ｘ０（ｋ）との偏差Ｅ（ｋ）に基づいて、脱硝反応モデルを補正するようになっている。これにより、脱硝効率の低下が還元剤濃度の推定に及ぼす影響を最小限に抑え、精度の高い分担率パラメータの推奨値を算出することができる。
【００７７】
図示は省略するが、幾つかの実施形態に係る脱硝装置の運転方法は、上述した還元剤注入量分担制御方法によって得られる分担率パラメータの推奨値に基づいて、各ノズルの注入分担率を調整するステップを備える。
【００７８】
上記方法によれば、上述の還元剤注入量分担制御方法によって取得された適切な分担率パラメータの推奨値に基づいて、各ノズル２の注入量分担を調整するようにしたので、未反応還元剤の局所的な増大をより効果的に抑制できる。
よって、脱硝システム１の下流側に設けられた設備での酸性硫安発生に伴う障害を回避することができ、脱硝システム１を具備するプラントの連続操業に寄与することができる。
【００７９】
上述したように、本発明の少なくとも一実施形態によれば、ノズル２から脱硝反応器４の入口４ａまでの間の排ガス中における還元剤の拡散状態と、脱硝反応器４における脱硝率と、を考慮した上で、分担率パラメータの候補値ごとに、各々の区画ｋ（図２の符号４−１，４−２，…，４−ｋ参照）における出口４ｂ側の還元剤の濃度を推定することができる。また、還元剤の濃度の推定値に基づいて、分担率パラメータの推奨値を算出するようになっている。これにより、脱硝反応器４の出口４ｂでの未反応還元剤の局所的な濃度上昇を回避し得る適切な分担率パラメータの推奨値を取得することができる。
こうして得られた適切な分担率パラメータを用いてノズル２の注入量分担を制御すれば、未反応還元剤の局所的な増大をより効果的に抑制できる。
さらに、脱硝システム１の下流側に設けられた設備での酸性硫安発生に伴う障害を回避することができ、脱硝システム１を具備するプラントの連続操業に寄与することができる。
【００８０】
本発明は上述した実施形態に限定されることはなく、上述した実施形態に変形を加えた形態や、これらの形態を適宜組み合わせた形態も含む。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「含む」、又は、「有する」という表現は、他の構成要素の存在を除外する排他的な表現ではない。
【符号の説明】
【００８１】
１      脱硝システム
２      ノズル
４      脱硝反応器
４ａ    入口
４ｂ    出口
６      還元剤濃度検出部
８      分担率調整部
９      モデル補正部
１０    ボイラ
１２    排ガスダクト
１６    空気予熱器
１８    ＮＯｘ濃度検出部
【図１】
0006470675.tif 000002
【図２】
0006470675.tif 000003
【図３】
0006470675.tif 000004
【図４】
0006470675.tif 000005